(57)【特許請求の範囲】
【請求項１】
撮像光学系による像を撮像して画像信号を生成する撮像部を有する本体部と、
前記本体部に対して軸まわりに回転して前記本体部に対する傾きを変更可能であるとともに、前記軸と交差する方向に移動し、前記画像信号による画像を表示する表示部と、
前記表示部を前記軸と交差する方向に付勢する付勢部とを備える撮像装置。
【請求項２】
前記表示部と前記軸とを結合する結合部を備え、
前記結合部は、前記表示部が前記軸と交差する方向へ移動可能に構成されている請求項１に記載の撮像装置。
【請求項３】
前記結合部は、前記軸と結合する結合部材と、前記結合部材に対して摺動する摺動部材とを有する請求項２に記載の撮像装置。
【請求項４】
前記表示部は、前記本体部に収納される状態において、前記付勢部による付勢力を受ける請求項１から３のいずれか一項に記載の撮像装置。
【請求項５】
前記表示部は、前記本体部に対して傾斜した状態において、前記付勢部による付勢力を受ける請求項１から３のいずれか一項に記載の撮像装置。
【発明の詳細な説明】
【技術分野】
【０００１】
本発明は撮像装置に関する。
【背景技術】
【０００２】
本体から軸支されて回動することにより本体に対して傾きを変える表示部を備えた撮影装置がある（特許文献１参照）。
［特許文献１］  特開２０００−０５０１１７号公報
【発明の概要】
【発明が解決しようとする課題】
【０００３】
表示部は軸部材を中心として回動するので、表示部の一部は、回動に伴って光軸方向からみた表示部の輪郭の外側へと変位する。このため、撮影装置が雲台に取り付けられている等して表示部の周囲に固定された他の部材があると、表示部の回動が妨げられる。
【課題を解決するための手段】
【０００４】
ひとつの態様として、入射像光の光軸と交差する背面を有し、入射像光を撮像して表示画像を生成する本体部と、背面に沿って収納され、表示画像を表示する表示部と、背面に平行な軸部材を有し、表示部を本体部に対して回動可能に結合する結合部とを備え、結合部は、表示部の軸部材に対する回動が妨げられた場合に、本体部および表示部のいずれか一方に対して軸部材を相対的に並進させて、軸部材と平行であり且つ軸部材と異なる位置にある仮想回動軸の回りに表示部を更に回動させる撮像装置が提供される。
【０００５】
上記の発明の概要は、本発明の必要な特徴の全てを列挙したものではない。これら特徴群のサブコンビネーションもまた発明となり得る。
【図面の簡単な説明】
【０００６】
【図１】デジタルカメラ１０１の斜視図である。
【図２】デジタルカメラ１０１の模式的側面図である。
【図３】結合部１５０の斜視図である。
【図４】デジタルカメラ１０１の斜視図である。
【図５】デジタルカメラ１０１の模式的側面図である。
【図６】デジタルカメラ１０１の斜視図である。
【図７】デジタルカメラ１０１の模式的側面図である。
【図８】デジタルカメラ１０２の模式的側面図である。
【図９】デジタルカメラ１０２の模式的側面図である。
【図１０】デジタルカメラ１０３の模式的斜視図である。
【図１１】デジタルカメラ１０３の模式的側面図である。
【図１２】デジタルカメラ１０３の模式的背面図である。
【図１３】デジタルカメラ１０３の模式的背面図である。
【図１４】デジタルカメラ１０４の模式的斜視図である。
【図１５】デジタルカメラ１０４の模式的側面図である。
【図１６】結合部１７０の斜視図である。
【図１７】結合部１７０の斜視図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、デジタルカメラ１０１を斜め後方から見下ろした様子を示す斜視図である。デジタルカメラ１０１は、本体部１１０およびレンズ鏡筒１２０を含む本体と、本体に対して取り付けられた表示部１３０とを備える。
【０００９】
本体部１１０は、撮像素子、画像処理回路等を含む電子回路と電池等を収容する。レンズ鏡筒１２０は、本体部１１０の前面に設けられ、複数のレンズを含む光学系を収容する。これにより、レンズ鏡筒１２０内に形成された光学系を通じて入射した像光を撮像素子により撮像する。撮像された像光は、表示画像として表示し得る画像信号または二次記憶媒体に保存し得る画像ファイルに変換される。
【００１０】
本体部１１０においてレンズ鏡筒１２０が配された面と対向して、レンズ鏡筒１２０の光軸Ｚと交差する背面１１２には、表示部１３０およびファインダ１４０が配される。表示部１３０は、本体部１１０の背面１１２に沿って配され、平坦な表示面を有する。ファインダ１４０は、本体部１１０から背面１１２側に向かって突出するファインダ鏡筒１４２の後端面に配される。
【００１１】
レンズ鏡筒１２０に入射した像光から生成された表示画像は、表示部１３０およびファインダ１４０の少なくとも一方に表示される。ユーザは、本体部１１０の一部を把持してデジタルカメラ１０１を構え、表示部１３０またはファインダ１４０に表示される表示画像を観察しつつ撮影を指示するタイミングを決定する。
【００１２】
ここで、デジタルカメラ１０１をユーザの目の高さに構えることができる場合は、表示部またはファインダ１４０を選択してフレーミングに使用できる。また、デジタルカメラ１０１を構える位置がユーザの目に対して高いまたは低い場合は、表示部１３０を回動させて背面１１２に対して異なる傾きにすることにより、表示画像を観察できる。
【００１３】
図２は、三脚等のカメラ台１９０に載せたデジタルカメラ１０１の模式的な側面図である。デジタルカメラ１０１は、三脚ネジ１９２によりカメラ台１９０に締結されることにより、カメラ台１９０の上面に固定される。
【００１４】
デジタルカメラ１０１において、表示部１３０は、結合部１５０により、本体部１１０の背面１１２に結合される。結合部１５０は、本体部側ブラケット１５１、結合アーム１５４、摺動アーム１５６および表示部側ブラケット１５９を含む。
【００１５】
本体部側ブラケット１５１は、本体部１１０の背面１１２に対して固定されて本体部側回動軸部材１５２を、背面１１２と平行に支持する。結合アーム１５４の図中下端は、本体部側回動軸部材１５２に軸支される。これにより、本体部側ブラケット１５１、本体部側回動軸部材１５２および結合アーム１５４がヒンジを形成する。よって、結合アーム１５４は本体部側回動軸部材１５２の回りを本体部１１０の背面１１２に対して回動する。
【００１６】
摺動アーム１５６は、結合アーム１５４により支持され、結合アーム１５４が背面１１２に対して回動する場合に、結合アーム１５４と共に回動する。また、摺動アーム１５６は、結合アーム１５４の側面に形成された溝に挿通されたガイドピン１５５に結合される。これにより、摺動アーム１５６は、結合アーム１５４の長手方向に、結合アーム１５４に沿って並進する。
【００１７】
更に、摺動アーム１５６の図中上端は、表示部側回動軸部材１５８に結合される。表示部側回動軸部材１５８は、表示部側ブラケット１５９に、本体部側回動軸部材１５２と平行に支持される。表示部側ブラケット１５９は、表示部１３０において、本体部１１０の背面１１２に対向する表示部１３０の背面１３２に固定される。
【００１８】
これにより、摺動アーム１５６、表示部側回動軸部材１５８および表示部側ブラケット１５９がヒンジを形成する。よって、表示部１３０は、摺動アーム１５６に対して、表示部側回動軸部材１５８の回りに回動する。
【００１９】
上記のように、表示部１３０は、本体部１１０の背面１１２に対して、本体部側回動軸部材１５２および表示部側回動軸部材１５８を介して結合されている。よって、表示部１３０は、本体部側回動軸部材１５２および表示部側回動軸部材１５８の少なくとも一方について回動することにより、本体部１１０に対する傾きを変えることができる。
【００２０】
ただし、図示の状態は、摺動アーム１５６が結合アーム１５４の内側に入り込んで、本体部側回動軸部材１５２および表示部側回動軸部材１５８の間隔が短縮している。また、結合アーム１５４は、背面１１２に沿った状態にある。更に、表示部１３０も、本体部１１０の背面１１２に沿って収納された状態にある。
【００２１】
図３は、結合部１５０を抜き出して単独で示す斜視図である。図２と共通の要素には同じ参照番号を付して重複する説明を省く。
【００２２】
本体部側ブラケット１５１は、本体部１１０の背面１１２に密着する平坦なフランジ部２１２と、フランジ部２１２から立ち上がる一対の軸受け部２１４とを有する。フランジ部２１２は、取り付けねじ１１１により、本体部１１０の背面１１２にねじ止めされる。軸受け部２１４は、それぞれ、本体部側回動軸部材１５２を支持する。
【００２３】
結合アーム１５４は、一対の側壁部２４２と、一対の側壁部２４２を連結する連結部２４４とを有する。一対の側壁部２４２は、長手方向に切られたガイド溝１５３をそれぞれ有する。連結部２４４の下端近傍には、本体部側フック２４６が配される。本体部側フック２４６には、付勢ばね１５７の一端が掛けられる。
【００２４】
摺動アーム１５６は、一対の側壁部２６２と、一対の側壁部２６２を連結する連結部２６４とを有する。一対の側壁部２６２は、結合アーム１５４の側壁部２４２の内側に沿って配され、ガイド溝１５３に挿通されたガイドピン１５５を固定される。これにより、摺動アーム１５６は、結合アーム１５４の内側で、結合アーム１５４に沿って図中縦方向に並進可能に結合アーム１５４に結合される。
【００２５】
摺動アーム１５６の側壁部２６２の図中上端は、表示部側回動軸部材１５８に結合される。よって、摺動アーム１５６が結合アーム１５４に沿って並進する場合は、表示部側回動軸部材１５８も摺動アーム１５６と共に並進する。
【００２６】
更に、摺動アーム１５６の連結部２６４は、長手方向の中程に摺動側フック２６６を有する。摺動側フック２６６には、付勢ばね１５７の他端が掛けられる。これにより、摺動アーム１５６が結合アーム１５４に対して並進して、本体部側回動軸部材１５２と表示部側回動軸部材１５８とが離間した場合に、付勢ばね１５７が引き延ばされて付勢力を生じる。換言すれば、摺動アーム１５６が結合アーム１５４に対して並進した場合は、付勢ばね１５７の付勢力が作用して、本体部側回動軸部材１５２および表示部側回動軸部材１５８の間隔が当初の間隔まで戻される。
【００２７】
表示部側ブラケット１５９は、平坦なフランジ部２９２と、フランジ部２９２の両側端でフランジ部２９２から立ち上がる一対の軸受け部２９４とを有する。フランジ部２９２は、表示部１３０において本体部１１０の背面１１２と対向する表示部１３０の背面１３２に対して、取り付けねじ１３１で固定される。軸受け部２９４は、表示部側回動軸部材１５８を回動可能に支持する。
【００２８】
これにより、摺動アーム１５６が結合アーム１５４に対して並進した場合は、表示部側回動軸部材１５８、表示部側ブラケット１５９および表示部１３０も、本体部１１０に対して並進する。また、表示部１３０は、本体部側ブラケット１５１、結合アーム１５４および摺動アーム１５６に対して、表示部側ブラケット１５９と共に回動する。
【００２９】
なお、結合アーム１５４および摺動アーム１５６の内側には、付勢ばね１５７と共に、フレキシブルプリント基板１１３が収容される。フレキシブルプリント基板１１３は、結合アーム１５４および摺動アーム１５６の内部において２回折り返されている。これにより、フレキシブルプリント基板１１３が、結合部１５０の回動および摺動アーム１５６の結合アーム１５４に対する並進に円滑に追従し、本体部１１０の内部と表示部１３０の内部とを電気的に結合する。
【００３０】
また、本体部側ブラケット１５１の軸受け部２１４と、結合アーム１５４との間には、本体部側回動軸部材１５２と同軸に配されたフリクションワッシャ２１８が挟まれる。これにより、外部から操作されていない結合アーム１５４は、そのときの位置にとどまる。
【００３１】
図４は、デジタルカメラ１０１の背面において、表示部１３０の上端が本体部１１０の背面１１２から引き離されることにより、表示部１３０が本体部１１０に対して回動した状態を示す。このような操作により、表示部１３０は、本体部１１０に対して下方を向くので、ユーザは、本体部１１０を見上げた状態で表示部１３０を観察できる。
【００３２】
図５は、雲台のカメラ台１９０に固定されたデジタルカメラ１０１において、図４に示したように表示部１３０の上端が開かれた状態を示す側面図である。図１から図４までと共通の要素には同じ参照番号を付して重複する説明を省く。
【００３３】
表示部１３０の上端側を本体部１１０の背面１１２から引き離した場合、表示部１３０は、表示部１３０の下端側に位置する本体部側回動軸部材１５２を中心にして回動する。これにより、表示部１３０の上端Ｑは、図中に点線で示す軌跡Ｌ１を描いて変位し、表示部１３０は本体部１１０に対して傾いて下方を向いた状態になる。
【００３４】
ここで、本体部側回動軸部材１５２は表示部１３０に対して本体部１１０側に位置する。よって、表示部１３０が本体部側回動軸部材１５２の回りに回動した場合、表示部１３０において図中下側の縁部に位置する下端Ｐは、図中下方に、光軸Ｚ方向から見た場合の表示部１３０自体の輪郭の外側へと変位する。
【００３５】
デジタルカメラ１０１がカメラ台１９０に固定された場合、デジタルカメラ１０１の底面と同じ高さにあるカメラ台１９０の上面は、本体部１１０に対する相対位置が固定されている。よって、回動に伴って下降した表示部１３０の下端Ｐは、図示のように、カメラ台１９０の上面に当接する。
【００３６】
下端Ｐがカメラ台１９０に当接すると、表示部１３０の本体部１１０に対する傾きをより大きくしようとした場合に、表示部１３０の回動がカメラ台１９０により妨げられる。このため、本体部側回動軸部材１５２の回りに関しては、表示部１３０をこれ以上回動させることはできない。
【００３７】
しかしながら、結合部１５０において摺動アーム１５６が結合アーム１５４に対して並進することにより、表示部側回動軸部材１５８を並進させてカメラ台１９０の上面から遠ざけることができる。これにより、表示部１３０は、下端Ｐを背面１１２に平行な仮想の回動軸として回動できる。よって、表示部１３０は、図中に一点鎖線で示す軌跡Ｌ２を描いて上端Ｑを変位させ、本体部１１０に対する傾きをより大きくする。
【００３８】
このように、デジタルカメラ１０１は、結合部１５０の上記構造により、本体部側回動軸部材１５２の回りを回動した表示部１３０の下端Ｐがカメラ台１９０に当接して回動を妨げられると、引き続き下端Ｐの回りに回動する。これにより、本体部側回動軸部材１５２に負担をかけることなく、表示部１３０をより大きく傾けることができる。
【００３９】
なお、摺動アーム１５６が結合アーム１５４に対して並進し始めると、表示部１３０の回動に伴って付勢ばね１５７を延ばすことになる。このため、表示部１３０の操作力に付勢ばね１５７の付勢力が加わり、表示部１３０に対する操作感は変化する。これにより、表示部１３０を操作するユーザに、表示部１３０の傾きが大きくなったことが伝わる。
【００４０】
また、表示部１３０が図中反時計回りに回動して、表示部１３０の下端Ｐがカメラ台１９０から離間した場合、付勢ばね１５７の付勢力により摺動アーム１５６は、結合アーム１５４に引き込まれる。よって、本体部側回動軸部材１５２と表示部側回動軸部材１５８の間隔は縮まり、結合部１５０は当初の長さに戻る。その後、表示部１３０は、本体部側回動軸部材１５２を回動軸として回動し、本体部１１０の背面１１２において、ファインダ鏡筒１４２の下方に円滑に収納される。
【００４１】
図６は、デジタルカメラ１０１の背面において、表示部１３０の下端が本体部１１０の背面１１２から引き離されることにより、表示部１３０が本体部１１０に対して回動した状態を示す。このような操作により、表示部１３０は、本体部１１０に対して上方を向くので、ユーザは、本体部１１０を見下ろした状態で表示部１３０を観察できる。
【００４２】
なお、表示部１３０が上方を向いた状態では、表示部１３０の上端が、本体部１１０の背面１１２に当接する場合がある。背面１１２には、このような場合に表示部１３０が当接する位置に保護部材１１４が配されている。
【００４３】
保護部材１１４は、本体部１１０の背面１１２と表示部１３０との間に挟まって、背面１１２および表示部１３０の表面が相互に摺動することを防止する。また、表示部１３０の背面１１２に対する摩擦を低減して、表示部１３０を円滑に回動させる。
【００４４】
図７は、雲台のカメラ台１９０に固定されたデジタルカメラ１０１において、図６に示したように表示部１３０の下端が開かれた状態を示す側面図である。図１から図６までと共通の要素には同じ参照番号を付して重複する説明を省く。
【００４５】
表示部１３０の下端側を本体部１１０の背面１１２から引き離した場合、表示部１３０は、表示部１３０の上端側に位置する表示部側回動軸部材１５８を中心にして回動し始める。表示部１３０の回動に伴って、表示部１３０の上端Ｓは表示部側回動軸部材１５８よりも本体部１１０側に位置する状態になるので、本体部１１０の背面１１２に当接する。
【００４６】
更に表示部１３０が図中反時計回りに回動すると、結合アーム１５４が、本体部側回動軸部材１５２の回りに図中時計回りに回動して、表示部側回動軸部材１５８が背面１１２から離間する。これにより、表示部１３０は、表示部側回動軸部材１５８の回りを更に反時計回りに回動する。こうして、表示部１３０の下端Ｒは図中に一点鎖線で示す軌跡Ｌ３を描いて変位し、表示部１３０は本体部１１０に対して傾いて上方を向いた状態になる。
【００４７】
ここで、表示部側回動軸部材１５８は、結合アーム１５４の回動に伴って降下する。このため、表示部１３０の回動に伴って、表示部１３０の下端Ｒとカメラ台１９０の上面とが干渉する。
【００４８】
しかしながら、結合部１５０において摺動アーム１５６が結合アーム１５４に対して並進することにより、表示部側回動軸部材１５８を図中上方に並進させてカメラ台１９０の上面から遠ざけることができる。これにより、表示部１３０は、下端Ｒを表示部側回動軸部材１５８の回りに回動させることができる。
【００４９】
なお、表示部１３０の回動により、下端Ｒがカメラ台１９０と干渉しない位置まで変位した場合は、付勢ばね１５７の付勢力により、摺動アーム１５６は結合アーム１５４に引き込まれる。これにより結合部１５０は当初の長さに戻る。
【００５０】
また、既に説明した通り、本体部１１０の背面１１２と表示部１３０の上端Ｓとの間には、保護部材１１４が挟まる。よって、表示部１３０は、背面１１２に対して円滑に摺動する。また、摺動に伴って、背面１１２および表示部１３０に擦過傷等が生じることが防止される。このような保護部材１１４は、表示部１３０側に設けてもよい。
【００５１】
上記のようなデジタルカメラ１０１において、摺動アーム１５６が結合アーム１５４に対して並進できる並進可能量を、表示部１３０を回動させる場合に生じる結合部１５０の伸縮量よりも大きくしてもよい。これにより、デジタルカメラ１０１を使用している間に、表示部１３０に外力が作用した場合に、結合部１５０を保護することができる。
【００５２】
図８は、他のデジタルカメラ１０２の模式的側面図である。図８において、図１から図７までと共通の要素には同じ参照番号を付して重複する説明を省く。
【００５３】
デジタルカメラ１０２は、本体部１１０、レンズ鏡筒１２０および表示部１３０を備える。レンズ鏡筒１２０は、本体部１１０と一体的に形成される。表示部１３０は、結合部１５０により、本体部１１０に結合される。
【００５４】
ここで、デジタルカメラ１０２において用いられている個々の要素は、図１から図７までに示したデジタルカメラ１０１と共通している。ただし、デジタルカメラ１０２においては、本体部側回動軸部材１５２が表示部１３０の図中上端側に、表示部側回動軸部材１５８が表示部１３０の図中上端側にそれぞれ配され、デジタルカメラ１０１の構造に対して結合部１５０が倒立した構造を有する。
【００５５】
これにより、表示部１３０を上方に向ける場合に、図中に点線で軌跡Ｌ４を示すように、表示部１３０の下端Ｔを、カメラ台１９０の上面と干渉することなく背面１１２から離間させることができる。ただし、ファインダ１４０を備えたデジタルカメラ１０２では、表示部１３０の傾きが大きくなった場合に、表示部１３０の上端Ｕは、光軸Ｚ方向から見た場合の表示部１３０自体の輪郭の外側へと変位する。このため、表示部１３０の上端Ｕは、ファインダ鏡筒１４２の下面に当接する。
【００５６】
このような場合、結合部１５０において摺動アーム１５６が結合アーム１５４に対して並進することにより、表示部側回動軸部材１５８をファインダ鏡筒１４２の下面から遠ざけることができる。これにより、表示部１３０は、上端Ｕを背面１１２に平行な仮想の回動軸として回動できる。よって、表示部１３０は、図中に一点鎖線で示す軌跡Ｌ５を描いて下端Ｔを変位させ、本体部１１０に対する傾きをより大きくする。
【００５７】
このように、デジタルカメラ１０２は、結合部１５０の上記構造により、本体部側回動軸部材１５２の回りを回転した表示部１３０の上端Ｕがファインダ鏡筒１４２に当接すると、本体部側回動軸部材１５２と異なる位置にある表示部１３０の上端Ｕの回りに回動する。よって、本体部側回動軸部材１５２に負担をかけることなく、表示部１３０をより大きく傾けることができる。
【００５８】
なお、開いた表示部１３０が図中時計回りに回動して、表示部１３０の上端Ｕがファインダ鏡筒１４２から離間した場合は、付勢ばね１５７の付勢力により摺動アーム１５６が結合アーム１５４に引き込まれる。よって、本体部側回動軸部材１５２と表示部側回動軸部材１５８の間隔は縮まり、結合部１５０は当初の長さに戻る。その後、表示部１３０は、本体部側回動軸部材１５２を回動軸として回動し、カメラ台１９０と干渉することなく本体部１１０の背面１１２に収納される。
【００５９】
また、表示部１３０を開く回動の過程で表示部１３０の上端Ｕが当接するファインダ鏡筒１４２の下面には、保護部材１１４を設けてもよい。これにより、表示部１３０は、ファインダ鏡筒１４２に対して円滑に摺動すると共に、ファインダ鏡筒１４２および表示部１３０に擦過傷等が生じることが防止される。更に、本体部１１０の背面１１２にも保護部材を設けてもよいことはもちろんである。
【００６０】
更に、上記のようなデジタルカメラ１０２において、摺動アーム１５６が結合アーム１５４に対して並進できる並進可能量を、表示部１３０を回動させる場合に生じる結合部１５０の伸縮量よりも大きくてしもよい。これにより、デジタルカメラ１０１を使用している間に、表示部１３０に外力が作用した場合に結合部１５０を保護できる。
【００６１】
デジタルカメラ１０２において、表示部１３０を下向きにすべく回動させる場合に生じる動作は、デジタルカメラ１０１において表示部を上向きにすべく回動させる場合に生じる動作と同じになる。よって、重複する説明は割愛する。
【００６２】
図９は、他の結合部１６０を備えたデジタルカメラ１０３の模式的側面図である。デジタルカメラ１０３は、三脚ネジ１９２によりカメラ台１９０に締結されることにより、カメラ台１９０の上面に固定される。図９において、図１から図８までと共通の要素には同じ参照番号を付して重複する説明を省く。
【００６３】
デジタルカメラ１０３において、表示部１３０は、結合部１６０により、本体部１１０の背面１１２に結合される。結合部１６０は、本体部側ブラケット１６１、結合アーム１６４および表示部側ブラケット１６９を含む。
【００６４】
本体部側ブラケット１６１は、本体部１１０の背面１１２に対して固定されて本体部側回動軸部材１６２を、背面１１２と平行に支持する。結合アーム１６４の図中下端は、本体部側回動軸部材１６２に軸支される。これにより、本体部側ブラケット１６１、本体部側回動軸部材１６２および結合アーム１６４がヒンジを形成する。よって、結合アーム１６４は、本体部側回動軸部材１６２の回りを、本体部１１０の背面１１２に対して回動する。
【００６５】
また、結合アーム１６４の図中上端は、表示部側回動軸部材１６８に結合される。表示部側回動軸部材１６８は、表示部側ブラケット１６９に、本体部側回動軸部材１６２と平行に支持される。表示部側ブラケット１６９は、表示部１３０において本体部１１０の背面１１２に表示部１３０の背面１３２に固定される。
【００６６】
これにより、結合アーム１６４、表示部側回動軸部材１６８および表示部側ブラケット１６９もヒンジを形成する。よって、表示部１３０は、結合アーム１６４に対して、表示部側回動軸部材１６８の回りに回動する。
【００６７】
上記のように、表示部１３０は、本体部１１０の背面１１２に対して、本体部側回動軸部材１６２および表示部側回動軸部材１６８を介して結合されている。よって、表示部１３０は、本体部側回動軸部材１６２および表示部側回動軸部材１６８の少なくとも一方について回動することにより、本体部１１０に対する傾きを変えることができる。
【００６８】
ただし、図示の状態は、結合アーム１６４が背面１１２に沿った状態にある。また、表示部１３０も、本体部１１０の背面１１２に沿って収納された状態にある。
【００６９】
図１０は、デジタルカメラ１０３の背面において、表示部１３０の上端を本体部１１０の背面１１２から引き離すことにより、表示部１３０を本体部１１０に対して傾けた状態を示す。このような操作により、表示部１３０は、本体部１１０に対して下方を向くので、ユーザは、本体部１１０を見上げた状態で表示部１３０を観察できる。
【００７０】
なお、図１０には、結合部１６０の本体部側ブラケット１６１が現れている。本体部側ブラケット１６１は、本体部側回動軸部材１６２を支持して、結合アーム１６４を回動自在に軸支する。
【００７１】
また、本体部側ブラケット１６１は、図中の上下方向に形成されたガイド溝１６３を有し、ガイド溝１６３に挿通されたガイドねじ１１５により本体部１１０の背面１１２に取り付けられる。これにより、本体部側ブラケット１６１は、背面１１２に沿って図中上下方向に並進する。本体部側ブラケット１６１が本体部１１０の背面１１２に沿って並進した場合、本体部側ブラケット１６１に支持された本体部側回動軸部材１６２も背面１１２に沿って並進する。
【００７２】
図１１は、雲台のカメラ台１９０に固定されたデジタルカメラ１０３において、図１０に示したように表示部１３０の上端が開かれた状態を示す側面図である。図９および図１０と共通の要素には同じ参照番号を付して重複する説明を省く。
【００７３】
表示部１３０の上端側を本体部１１０の背面１１２から引き離した場合、表示部１３０は、表示部１３０の下端側に位置する本体部側回動軸部材１６２を中心にして回動する。これにより、表示部１３０の上端Ｖは図中に点線で示す軌跡Ｌ６を描いて変位し、表示部１３０は本体部１１０に対して傾いて下方を向いた状態になる。
【００７４】
上記の状態から表示部１３０を図中時計回りに更に回動させると、回動に伴って表示部１３０自体の輪郭の外側へと下降した表示部１３０の下端Ｗがカメラ台１９０の上面に当接する。下端Ｗがカメラ台１９０に当接すると、表示部１３０の傾きをより大きくしようとした場合に、表示部１３０の回動がカメラ台１９０により妨げられる。このため、表示部１３０を本体部側回動軸部材１６２の回りに回動させることはできなくなる。
【００７５】
しかしながら、結合部１６０において本体部側ブラケット１６１が本体部１１０に沿って並進することにより、本体部側回動軸部材１６２を並進させてカメラ台１９０の上面から遠ざけることができる。これにより、表示部１３０は、下端Ｗを背面１１２に平行な仮想の回動軸として回動する。よって、表示部１３０は、図中に一点鎖線で示す軌跡Ｌ７を描いて上端Ｖを変位させ、本体部１１０に対する傾きを更に大きくする。
【００７６】
このように、デジタルカメラ１０３は、結合部１６０の上記構造により、本体部側回動軸部材１６２の回りを回転した表示部１３０の下端Ｗがカメラ台１９０に当接して回動が妨げられると、そこからは下端Ｗの回りに回動する。よって、本体部側回動軸部材１６２に負担をかけることなく、表示部１３０を大きく傾けることができる。
【００７７】
図１２は、結合部１６０の構造を示す目的で、表示部１３０を取り除いた状態でデジタルカメラ１０３の背面１１２を示す背面図である。図９、図１０および図１１と共通の要素には同じ参照番号を付して重複する説明を省く。
【００７８】
本体部側ブラケット１６１は、図中上下方向に形成された一対の平行なガイド溝１６３を有する。ガイド溝１６３の各々には、図中上下に配されたそれぞれ２本ずつのガイドねじ１１５が挿通される。ガイドねじ１１５は、本体部１１０の背面１１２に対して固定される。これにより、本体部側ブラケット１６１は、図中上下方向に移動可能に、背面１１２に対して取り付けられる。
【００７９】
また、本体部側ブラケット１６１に形成された結合部側フック１６５には、付勢ばね１６７の一端が結合される。付勢ばね１６７は、本体部１１０の背面１１２と、本体部側ブラケット１６１との間に配される。付勢ばね１６７の他端は、背面１１２に対して結合される。これにより、本体部側ブラケット１６１は、背面１１２に対して相対的に下がりきった位置に向かって付勢される。
【００８０】
なお、本体部側ブラケット１６１の図中下端中央部には切欠き部１１６が形成され、フレキシブルプリント基板１１３が挿通される。フレキシブルプリント基板１１３は、結合アーム１６４の内側を通じて表示部１３０に結合される。
【００８１】
また、本体部側ブラケット１６１と結合アーム１６４との間には、本体部側回動軸部材１６２と同軸に配されたフリクションワッシャ１６６を挟んでもよい。これにより、外部から操作されていない結合アーム１５４は、そのときの位置にとどまる。
【００８２】
図１３は、結合部１６０の動作を説明する図であり、図１２と同じ視点から本体部１１０の背面１１２を描いた背面図である。図１２と共通の要素には同じ参照番号を付して重複する説明を省く。
【００８３】
図示の状態は、図１１に示したように、回動した表示部１３０の下端Ｗがカメラ台１９０に当接した場合に、本体部側ブラケット１６１が背面１１２に沿って上方に並進している。これにより、ガイド溝１６３は、ガイドねじ１１５に沿って上方に変位している。
【００８４】
また、付勢ばね１６７は、本体部側ブラケット１６１に設けられた結合部側フック１６５に一端を押され上昇している。これにより、付勢ばね１６７は弾性変形して、図１２に示した状態に戻るべく付勢力を発生する。よって、本体部側ブラケット１６１を並進させた力が解消した場合は、付勢ばね１６７の付勢力により、本体部側ブラケット１６１は当初の位置に自律的に復帰する。
【００８５】
図１４は、結合部１７０を有するデジタルカメラ１０４の背面において、表示部１３０の上端を本体部１１０の背面１１２から引き離すことにより、表示部１３０を本体部１１０に対して傾けた状態を示す。このような操作により、表示部１３０は、本体部１１０に対して下方を向くので、ユーザは、本体部１１０を見上げた状態で表示部１３０を観察できる。
【００８６】
なお、図１４には、結合部１７０の本体部側ブラケット１７１が現れている。本体部側ブラケット１７１は、本体部側回動軸部材１７２を支持して、結合アーム１７４を回動自在に軸支する。
【００８７】
また、図１４には、表示部１３０において本体部１１０の背面１１２に対向する背面１３２に取り付けられた表示部側ブラケット１７９も現れている。本体部側ブラケット１７１は、表示部側回動軸部材１７８を支持して、結合アーム１７４に対して回動自在に結合される。
【００８８】
更に、表示部側ブラケット１７９は、表示部側回動軸部材１７８に直交して形成されたガイド溝１７３を有し、ガイド溝１７３に挿通されたガイドねじ１３５により表示部１３０の１３２背面に取り付けられる。これにより、表示部側ブラケット１７９は、背面１３２に沿って、表示部側回動軸部材１７８と直交する方向に並進する。表示部側ブラケット１７９が背面１３２に沿って並進した場合、表示部側ブラケット１７９に支持された表示部側回動軸部材１７８が、背面１３２に沿って表示部１３０に対して相対的に並進する。
【００８９】
図１５は、雲台のカメラ台１９０に固定されたデジタルカメラ１０４において、図１４に示したように表示部１３０の上端が開かれた状態を示す側面図である。図１４と共通の要素には同じ参照番号を付して重複する説明を省く。
【００９０】
表示部１３０の上端側を本体部１１０の背面１１２から引き離した場合、表示部１３０は、表示部１３０の下端側に位置する本体部側回動軸部材１７２を中心にして回動する。これにより、表示部１３０の上端Ｘは図中に点線で示す軌跡Ｌ８を描いて変位し、本体部１１０に対して傾いて下方を向いた状態になる。
【００９１】
上記の状態から表示部１３０を図中時計回りに更に回動させると、回動に伴って下降した表示部１３０の下端Ｙが表示部１３０自体の輪郭の外側下方へと変位して、カメラ台１９０の上面に当接する。下端Ｙがカメラ台１９０に当接すると、表示部１３０の傾きをより大きくしようとした場合に、表示部１３０の回動がカメラ台１９０により妨げられる。このため、表示部１３０を本体部側回動軸部材１７２の回りに回動させることはできなくなる。
【００９２】
しかしながら、結合部１７０において表示部側ブラケット１７９が表示部１３０の背面１３２に沿って並進することにより、表示部１３０が本体部側回動軸部材１７２から遠ざかる。これにより、表示部１３０は、下端Ｙを背面１１２に平行な仮想の回動軸として回動する。よって、表示部１３０は、図中に一点鎖線で示す軌跡Ｌ９を描いて上端Ｘを変位させ、本体部１１０に対する傾きを更に大きくする。
【００９３】
このように、デジタルカメラ１０４は、結合部１７０の上記構造により、本体部側回動軸部材１７２の回りを回転した表示部１３０の下端Ｙがカメラ台１９０に当接して回動が妨げられると、そこからは下端Ｙの回りに回動する。よって、本体部側回動軸部材１７２に負担をかけることなく、表示部１３０を大きく傾けることができる。
【００９４】
図１６は、結合部１７０の構造を示す目的で、結合部１７０と共に表示部１３０を本体部１１０から取り外した状態で、表示部１３０の背面１３２を示す背面図である。また、結合アーム１７４の一部も切り欠いている。図１４および図１５と共通の要素には同じ参照番号を付して重複する説明を省く。
【００９５】
表示部側ブラケット１７９は、図中上下方向に形成された一対の平行なガイド溝１７３を有する。ガイド溝１７３の各々には、図中上下に配されたそれぞれ２本ずつのガイドねじ１３５が挿通される。ガイドねじ１３５は、表示部１３０の背面１３２に対して固定される。これにより、表示部側ブラケット１７９は、表示部側回動軸部材１７８と直交する方向に表示部１３０の背面に沿って並進可能に背面１３２に対して取り付けられる。
【００９６】
また、表示部側ブラケット１７９に形成された結合部側フック１７５には、付勢ばね１７７の一端が結合される。付勢ばね１７７の他端は、表示部１３０の背面１３２に設けられた表示部側フック１３３に結合される。これにより、表示部１３０は、表示部側ブラケット１７９に対して相対的に下がりきった位置に向かって付勢される。
【００９７】
なお、表示部側ブラケット１７９と結合アーム１７４との間には、表示部側回動軸部材１７８と同軸に配されたフリクションワッシャ１７６を挟んでもよい。これにより、外部から操作されていない結合アーム１７４は、そのときの位置にとどまる。
【００９８】
図１７は、結合部１７０の動作を説明する図であり、図１６と同じ視点から表示部１３０の背面１３２を描いた背面図である。図１６と共通の要素には同じ参照番号を付して重複する説明を省く。
【００９９】
図示の状態は、図１５に示したように、回動した表示部１３０の下端Ｙがカメラ台１９０に当接した場合に、表示部１３０が表示部側ブラケット１７９に対して相対的に上方に並進している。これにより、ガイド溝１７３は、ガイドねじ１３５に沿って下方に変位している。
【０１００】
また、付勢ばね１７７は、表示部側ブラケット１７９の結合部側フック１７５と表示部側フック１３３との間で引き延ばされている。これにより、付勢ばね１７７は、図１６に示した状態に戻るべく付勢力を発生する。よって、表示部１３０を並進させた力が解消した場合は、付勢ばね１７７の付勢力により、表示部１３０は、表示部側ブラケット１７９に対して当初の相対位置に自律的に復帰する。
【０１０１】
以上、一体型のデジタルカメラ１０１、１０２、１０３、１０４を例にあげて説明した。しかしながら、上記のような表示部１３０と結合部１５０、１６０、１７０を用いた構造は、レンズ交換式ミラーレスカメラ、一眼レフカメラ、ビデオカメラ等のように、表示部１３０を備えた他の撮像装置においても広く適用できる。
【０１０２】
また、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが特許請求の範囲の記載から明らかである。
【符号の説明】
【０１０３】
１０１、１０２、１０３、１０４  デジタルカメラ、１１０  本体部、１１１、１３１  取り付けねじ、１１２、１３２  背面、１１３  フレキシブルプリント基板、１１４  保護部材、１１５、１３５  ガイドねじ、１１６  切欠き部、１２０  レンズ鏡筒、１３０  表示部、１３３  表示部側フック、１４０  ファインダ、１４２  ファインダ鏡筒、１５０、１６０、１７０  結合部、１５１、１６１、１７１  本体部側ブラケット、１５２、１６２、１７２  本体部側回動軸部材、１５３、１６３、１７３  ガイド溝、１５４、１６４、１７４  結合アーム、１５５  ガイドピン、１５６  摺動アーム、１５７、１６７、１７７  付勢ばね、１５８、１６８、１７８  表示部側回動軸部材、１５９、１６９、１７９  表示部側ブラケット、１６５、１７５  結合部側フック、１６６、１７６、２１８  フリクションワッシャ、１９０  カメラ台、１９２  三脚ネジ、２１２、２９２  フランジ部、２１４、２９４  軸受け部、２４２、２６２  側壁部、２４４、２６４  連結部、２４６  本体部側フック、２６６  摺動側フック
【図１】
0005938984.tif 000002
【図２】
0005938984.tif 000003
【図３】
0005938984.tif 000004
【図４】
0005938984.tif 000005
【図５】
0005938984.tif 000006
【図６】
0005938984.tif 000007
【図７】
0005938984.tif 000008
【図８】
0005938984.tif 000009
【図９】
0005938984.tif 000010
【図１０】
0005938984.tif 000011
【図１１】
0005938984.tif 000012
【図１２】
0005938984.tif 000013
【図１３】
0005938984.tif 000014
【図１４】
0005938984.tif 000015
【図１５】
0005938984.tif 000016
【図１６】
0005938984.tif 000017
【図１７】
0005938984.tif 000018